(57)【要約】【課題】  この発明は、塩害に強い夏芝のバミューダーグラスには影響を与えず、冬芝のライグラスの葉に付着させることにより、枯れ死させ、バミューダーグラスには、塩化カリウム・塩化マグネシウムを同時に投与することにより肥料効果もあげる芝生場における芝生の切り替え育成方法を開発・提供するものである。【解決手段】  冬芝・夏芝の双方の生育期に、塩化ナトリウム（ＮａＣｌ）、塩化カルシウム（ＫＣｌ）、塩化マグネシウム（ＭｇＣｌ2 ）を所定の割合で混合物を設け、該混合物を濃度５％〜２０％となるよう水で希釈した水溶液を設け、１ｍ２の芝生場あたり、０．５ｌ〜２ｌ程度を散布量として散布し、しかも、冬芝・夏芝の双方の生育期に、数回に分けて散布することを特徴とする芝生場における芝生の切り替え育成方法から構成される。  尚、この発明で、冬芝・夏芝の双方の生育期とは重なりあう、４月〜７月である。【選択図】  なし【特許請求の範囲】
【請求項１】
冬芝・夏芝の双方の生育期に、塩化ナトリウム、塩化カルシウム、塩化マグネシウムを所定の割合で混ぜた混合物を設け、該混合物を濃度５％〜２０％となるよう水で希釈した水溶液を設け、該水溶液を１ｍ２の芝生場あたり、０．５ｌ〜２ｌ程度を散
布量として散布し、しかも、冬芝・夏芝の双方の生育期に、数回に分けて散布することを特徴とする芝生場における芝生の切り替え育成方法。
【請求項２】
冬芝・夏芝の双方の生育期が重なりあう、４月〜７月であることを特徴とする請求項１記載の芝生場における芝生の切り替え育成方法。
【発明の詳細な説明】
【技術分野】
【０００１】
この発明は、芝生場における芝生の切り替え育成方法に関する。
【背景技術】
【０００２】
従来、サッカーフィールドなどの芝生場について、日本各地において十数年前から芝生エバーグリーン化が取り組まれている。
夏季シーズンは改良バミューダーなどの夏芝での使用とし、冬季シーズンはライグラスなどの冬芝種子による使用ができるように一年中、緑を保つ工法が採用され、特に、西日本においては、『オーバーシーディング工法』として定着しているのが現状である。
【０００３】
しかし、何れの採用施設でも、冬芝から夏芝への切り替え作業（トランディッション作業ともいう）に過大な労力と、その年の天候と、作業者の専門知識と作業量、そして、施設利用数などの外的要因にての不安定な結果しか求めることが出来ないでいるの現状であり、東京以西での『オーバーシーディング工法』が、サッカーフィールドとしてのエバーグリーン化に最適な工法と位置付けられているが、切り替え作業が難しいために、フィールドクオリティを全ての施設で満足させることが出来ていない。
天候に左右され、長雨・冷夏などにより、薬剤処理工法以外は、工程計画が立てられないばかりか、完全な切り替え作業をすることすら難しい時がしばしば見受けられる。
【０００４】
即ち、現在の切り替え作業においては、夏芝（バミューダーグラス・高麗芝・野芝など）の成育期である５月以降（西日本地区においては、概ね，この期間が生育期である。）に、前年の９月から１１月の間に、種子成育させて、冬期シーズンから５月まげの間に生育させた冬芝（ライグラス類）を低刈り・バーチカル・コア・抜きなどにより退化させ、ベースとなっている夏芝を成育させる方法を取っているが、冬芝の生育温度は、１０°Ｃ〜３０°Ｃまでで、上記処方では、数カ月を費やしての作業となる事と、各種イベントなどを開催する公共施設としての役割があるため、５月〜梅雨時期前までに退化させる事は余程の条件が整わないと出来ないし、この時期に退化させても、梅雨時期に再度冬芝の復活となることの方が多いのが現状であり、結果的に梅雨明けから猛暑となる時期を利用しての退化に期待しての作業となっている。
【０００５】
このような作業を繰り返して行っているが、完全に退化させて夏芝の生育を促しても、次の冬芝生育期との期間が非常に少なく、完全なる生育に必要な期間を取る事が出来ず、数年すると、夏芝が冬芝に負けて、フィールドクオリティ（芝生場の質）が守られなくなる為に、数年ごとの改修をせざるを得ない状況となっている。切り替え作業が完全に行われない場合の芝生は、バミューダーグラスの退化が顕著であり、ライグラスによるエバーグリーン化が行われることにより、翌年の切り替え作業は困難を極め、フィールドコンディションを損なうだけでなく、裸地化が進み、フィールドの平坦性に著しく支障をきたし、最悪の場合は、全面の張り替えとなることもある。部分的張り替えは、毎年のこととなり、メンテナンス費用の高騰につながると同時に、芝生養生期間の増大が利用者への負担増を招くことになる。このようなスポーツ興行に利用する施設にあっては、観客動員数、視聴率などにも影響し、金銭的影響は見過ごすことができないものである。
【０００６】
また、一方、薬剤処理による切り替え作業も、その工法として用いられているが、この工法では、除草剤を有効に利用して、夏芝の休眠期と冬芝の生育期が重なる時期に散布して、切り替え作業を行う事は出来るが、時期が、２月下旬から３月上旬と限定され、この時期に薬剤処理での方法を取れば、イベントが集中する３月〜５月上旬までは、芝生が枯れた状態での時期を過ごすことになり、エバーグリーンのフィールドとは言えず、プロサッカーリーグの春先での利用は、枯れた状態での使用となり、利用はされない事となる。（夏芝の根が動きだす時期が３月上旬であり、根が動き出すと、夏芝まで枯れ死させる可能性が高くなることから、この時期の前までが施用時期であり、冬芝は、気温１５°Ｃから２０°Ｃぐらいがが生育最適温度である。生育期でないと、除草剤などの薬剤は効果を発揮しないことから、前記の時期しか出来ないと考えられる。）
【０００７】
夏芝・冬芝ともに生育期にての薬剤処理は、薬剤（一般的には除草剤）により、効果がある可能性は否定しないが、夏芝を枯れ死・薬害を起こす可能性も高く、リスクが大きすぎるという欠点があった。
【発明の開示】
【発明が解決しようとする課題】
【０００８】
そこで、この発明は、塩害に強い夏芝のバミューダーグラスには影響を与えず、冬芝のライグラスの葉に付着させることにより、枯れ死させ、バミューダーグラスには、塩化カリウム・塩化マグネシウムを同時に投与することにより肥料効果もあげる芝生場における芝生の切り替え育成方法を開発するものである。
【課題を解決するための手段】
【０００９】
この発明による芝生の切り替え育成方法は、冬芝・夏芝の双方の生育期に、塩化ナトリウム、塩化カルシウム、塩化マグネシウムを所定の割合で混合物を設け、該混合物を濃度５％〜２０％となるよう水で希釈した水溶液を設け、１ｍ２の芝生場あたり、０．５ｌ〜２ｌ程度を散布量として散布し、しかも、冬芝・夏芝の双方の生育期に、数回に分けて散布することを特徴とするものである。
また、冬芝・夏芝の双方の生育期が重なりあう、４月〜７月であることが望ましい。
【発明の効果】
【００１０】
この発明によると、塩化ナトリウム、塩化カルシウム、塩化マグネシウムは水に溶解すると、これらの混合物は、主に、塩化物イオン（ＣＬ−）、カリウムイオン（Ｋ＋）、マグネシウムイオン（Ｍｇ＋）となり、塩化物イオンは非常に反応性に富んだ元素であり、草を枯らす働きをし、塩害に強い夏芝の特徴を生かし、夏芝は冬芝の切り替えができ、天候に左右されないばかりか、完全なる芝生の切り替え育成方法ができることにより、作業工程が安定し、効果も安定することで、利用者との使用調整が容易となり、利用者への負担は軽減される。また、天候次第ではなくなる事から、毎年完全なる芝生の切り替え育成方法が行え、張り替え部分も極端に少なくなる事により、メンテナンス費用も格段に下がることになる。
【００１１】
さらに、この発明による工法自体が、従来法とは比べものにならないぐらい簡単な作業となり、工法自体が安価となり、メンテナンス費用の縮小へとつながるものである。そして、一番、優位性がでるのは、イベントするときに合わせて作業が可能となると同時に、いつでもベストコンディションでのプレーができることにより、スポーツイベントの観客収入・視聴率アップによる興行収入のアップが見込める等極めて有益なる効果を奏するものである。
【発明を実施するための最良の形態】
【００１２】
以下、この発明による好適な実施の形態について、詳細に説明すると、冬芝・夏芝の双方の生育期に、塩化ナトリウム（ＮａＣｌ）、塩化カルシウム（ＫＣｌ）、塩化マグネシウム（ＭｇＣｌ2 ）を所定の割合で混ぜた混合物を設け、該混合物を濃度５％〜２０％となるよう水で希釈した水溶液を設け、該水溶液を１ｍ２の芝生場あたり、０．５ｌ〜２ｌ程度を散布量として散布し、しかも、冬芝・夏芝の双方の生育期に、数回に分けて散布することを特徴とする芝生場における芝生の切り替え育成方法から構成される。
【００１３】
尚、この発明で、冬芝・夏芝の双方の生育期とは、４月〜７月である。
【００１４】
また、塩化ナトリウム、塩化カルシウム、塩化マグネシウムの混合物は、水に溶解すると、主に、塩化物イオン・カリウムイオン・マグネシウムイオンに解離し、塩化物イオンは非常に反応性に飛んだ元素である為に、ライグラス類を枯らす働きをする。一方、カリウムイオン・マグネシウムイオンは、芝草の生育に効果的な働きをすることが認められていて、バミューダーグラスの発育を促進する働きをする。
【産業上の利用可能性】
【００１５】
この発明による芝生の切り替え育成方法の技術を確立し、それに基づいて施工することにより、産業上の利用可能性があるものである。